(57)【要約】      （修正有）【課題】省エネ及び二酸化炭素削減の効果を兼ね備えるソーラー電動デンタルクリーナーを提供する。【解決手段】ソーラー電動デンタルクリーナーはグリップ部１、クリーニング部２、駆動装置、導動体、ソーラー発電装置を備え、グリップ部１内には収容空間を形成し、クリーニング部２はグリップ部の一端に取り付け、駆動装置にはバッテリーを連接し、ソーラー発電装置はグリップ部表面に設置され、電気コードを通してバッテリーと電気的に連接され、ソーラー発電装置により光エネルギーを電気エネルギーに転換し、バッテリー中に蓄え、駆動装置に給電する。また収容空間内には蓄水装置を設置し、クリーニング部２を歯洗浄ジェットノズルに交換し、口腔クリーニング作業を行える。【選択図】図１
0003204334.tif 000002
【実用新案登録請求の範囲】
【請求項１】
ソーラー電動デンタルクリーナーは、グリップ部、クリーニング部、駆動装置、導動体、ソーラー発電装置を備え、
該グリップ部内には、収容空間を形成し、該グリップ部上には、スイッチを設置し、
該クリーニング部は、該グリップ部の一端に取り付けられ、
該駆動装置には、バッテリーを連接し、該駆動装置及び該バッテリーは、該グリップ部の収容空間内に設置され、
該導動体は、該収容空間中に設置され、該駆動装置３と電気的に連接する第一導線を連接し、
該ソーラー発電装置は、該グリップ部表面に設置され、しかも電気コードを通して、該バッテリーと電気的に連接されることを特徴とするソーラー電動デンタルクリーナー。
【請求項２】
前記クリーニング部は、歯ブラシのブラシヘッドであることを特徴とする請求項１に記載のソーラー電動デンタルクリーナー。
【請求項３】
前記クリーニング部は、歯間ブラシヘッドであることを特徴とする請求項１に記載のソーラー電動デンタルクリーナー。
【請求項４】
前記バッテリー底部には、給電ポートを設置し、
該給電ポートは、該グリップ部底端に対応し、給電孔を設置することを特徴とする請求項１に記載のソーラー電動デンタルクリーナー。
【請求項５】
ソーラー電動デンタルクリーナーは、グリップ部、クリーニング部、駆動装置、導動体、蓄水装置、ソーラー発電装置を備え、
該グリップ部内には、収容空間を形成し、該グリップ部上には、スイッチを設置し、
該クリーニング部は、該グリップ部の一端に取り付けられ、
該駆動装置には、バッテリーを連接し、該駆動装置及び該バッテリーは、該グリップ部の収容空間内に設置され、
該導動体は、該収容空間中に設置され、該駆動装置と電気的に連接する第一導線を連接し、
該蓄水装置は、該収容空間内に設置され、該駆動装置と電気的に連接する第二導線を連接し、
該ソーラー発電装置は、該グリップ部表面に設置され、しかも電気コードを通して、該バッテリーと電気的に連接されることを特徴とするソーラー電動デンタルクリーナー。
【請求項６】
前記クリーニング部は、歯ブラシのブラシヘッドであることを特徴とする請求項５に記載のソーラー電動デンタルクリーナー。
【請求項７】
前記クリーニング部は、歯間ブラシヘッドであることを特徴とする請求項５に記載のソーラー電動デンタルクリーナー。
【請求項８】
前記クリーニング部は、歯洗浄ジェットノズルであることを特徴とする請求項５に記載のソーラー電動デンタルクリーナー。
【請求項９】
前記クリーニング部は、ブラシ洗浄ジェットノズルであることを特徴とする請求項５に記載のソーラー電動デンタルクリーナー。
【請求項１０】
前記バッテリー底部には、給電ポートを設置し、
該給電ポートは、該グリップ部底端に対応し、給電孔を設置することを特徴とする請求項５に記載のソーラー電動デンタルクリーナー。
【考案の詳細な説明】
【技術分野】
【０００１】
本考案はソーラー電動デンタルクリーナーに関し、特に光源を利用し光エネルギーを電気エネルギーに転換し、バッテリー中に蓄え、これによりデンタルクリーナーのクリーニング部は震動或いは回転を生じ、液体を噴出し、口腔衛生と省エネ及び二酸化炭素削減を効果的に達成できるソーラー電動デンタルクリーナーに関する。
【背景技術】
【０００２】
公知のように、口腔衛生は人体の健康と深い関わりがある。
そのため、健康に留意する現代人は、口腔衛生に深く配慮している。
よって、口腔の衛生を保つための器具の選択には、非常にこだわりを持っており、これにより市場では多くの口腔衛生器具が見られる。
【０００３】
現在ではクリーニングの効果を高めるため、多くの人が電動歯ブラシを歯磨きのツールとして用いている。
しかし、電動歯ブラシで使用する電池は、長時間用いることで電力が不足するのは避けられず、そのためしばしば新しい電池に交換しなければならない。
そのため、使用上の不便とコストの損耗を招いている。
本考案は、従来の電動歯ブラシの上記した欠点に鑑みてなされたものである。
【先行技術文献】
【特許文献】
【０００４】
【特許文献１】特開２００６−１１００６６号公報
【考案の概要】
【考案が解決しようとする課題】
【０００５】
本考案が解決しようとする課題は、光源を利用し光エネルギーを電気エネルギーに転換してバッテリー中に蓄え、これにより駆動装置はデンタルクリーナーのクリーニング部を駆動し、省エネ及び二酸化炭素削減を効果的に達成できるソーラー電動デンタルクリーナーを提供することである。
【課題を解決するための手段】
【０００６】
上記課題を解決するため、本考案は下記のソーラー電動デンタルクリーナーを提供する。
ソーラー電動デンタルクリーナーは、グリップ部、クリーニング部、駆動装置、導動体及びソーラー発電装置を備え、該グリップ部内には、収容空間を形成し、該グリップ部上には、スイッチを設置し、該クリーニング部は、該グリップ部の一端に取り付け、該クリーニング部は、歯ブラシのブラシヘッドで、或いは歯間ブラシヘッドできる。
しかも交換でき、該駆動装置には、バッテリーを連接し、該駆動装置及び該バッテリーは、該グリップ部の収容空間内に設置され、該導動体は、該収容空間中に設置され、該駆動装置と電気的に連接する第一導線を連接し、該ソーラー発電装置は、該グリップ部表面に設置され、しかも電気コードを通して、該バッテリーと電気的に連接される。
【０００７】
電動デンタルクリーナーの使用時には、電力により駆動装置を連動しなければ、電動デンタルクリーナーに震動と回転の効果を生じさせられないが、本考案の電力供給方式は、電動デンタルクリーナーのグリップ部表面に設置するソーラー発電装置により、電動デンタルクリーナーを使用中は光エネルギーを電気エネルギーに転換し、バッテリー中に蓄え、駆動装置に適時に給電し、クリーニング部の震動と回転の作業を行わせ、使用者は歯のクリーニング作業を行うことができる。
よって、本考案は明らかにエネルギーの消耗を低下させられ、省エネ及び二酸化炭素削減の効果を兼ね備える。
【０００８】
好ましくは本考案のクリーニング部は、歯ブラシのブラシヘッドである。
好ましくは本考案のクリーニング部は、歯間ブラシヘッドである。
好ましくは本考案のバッテリー底部には、給電ポートを設置し、該給電ポートは、該グリップ部底端に対応し、給電孔を設置する。
【０００９】
本考案はさらに、歯間クリーニングの強化、及び歯周病の問題に対処するため、噴水効果を備え、
本考案の電動デンタルクリーナーは、該グリップ部の収容空間中に、蓄水装置を取り付け、しかも該蓄水装置には該駆動装置と電気的に連接する第二導線を連接し、該第二導線が供給する電力により、蓄水装置内の液体はクリーニング部より噴出し、該クリーニング部は、歯洗浄ジェットノズルである。
【００１０】
本考案はさらに、電動デンタルクリーナーは、該バッテリー底部に、給電ポートを設置し、該給電ポートは、該グリップ部に対応し底端に、給電孔を設置し、該給電孔により、該バッテリーと外部電源とは、連接され充電される。
【００１１】
好ましくは本考案のクリーニング部は、歯ブラシのブラシヘッドである。
好ましくは本考案のクリーニング部は、歯間ブラシヘッドである。
好ましくは本考案のクリーニング部は、歯洗浄ジェットノズルである。
好ましくは本考案のクリーニング部は、ブラシ洗浄ジェットノズルである。
好ましくは本考案のバッテリー底部には、給電ポートを設置し、該給電ポートは、該グリップ部底端に対応し、給電孔を設置する。
【考案の効果】
【００１２】
本考案によるソーラー電動デンタルクリーナーは、以下の効果を備える。
１．本考案によるソーラー電動デンタルクリーナーは、スイッチを起動することで、バッテリーの電力を駆動装置に給電し、電動歯ブラシのブラシヘッド或いは歯間ブラシのブラシヘッドを駆動し震動と回転の効果を生じされ、口腔クリーニングに用いることができる。
２．本考案によるソーラー電動デンタルクリーナーは、ソーラー発電装置を利用し光エネルギーを電気エネルギーに転換し、バッテリー内に蓄え、適時に駆動装置に給電するため、明らかにエネルギーの消耗を低下させられ、同時に省エネ及び二酸化炭素削減の効果を兼ね備える。
３．本考案によるソーラー電動デンタルクリーナーは、ソーラー発電装置が発電する電力が不足すると、給電孔より、バッテリーと外部電源とを連接して充電する。
４．本考案によるソーラー電動デンタルクリーナーは、第二導線により蓄水装置内の液体を駆動し歯洗浄ブラシジェットノズルから噴出させるため、歯間中の汚れ及び細菌をクリーニングでき、口腔の衛生及び健康を強化することができる。
５．本考案によるソーラー電動デンタルクリーナーは、クリーニング部をブラシ洗浄ジェットノズルに交換後、使用者の口腔衛生に使用する際には、震動、回転及び噴水の効果を同時に執行できるため、歯間のクリーニングを強化できる。
【図面の簡単な説明】
【００１３】
【図１】本考案の第一実施例(実施形態)の立体模式図である。
【図２】本考案の第一実施例(実施形態)の側視模式図である。
【図３】本考案の第一実施例(実施形態)においてクリーニング部を交換する様子の模式図である。
【図４】本考案の第二実施例(実施形態)の側視模式図である。
【図５】本考案の第二実施例(実施形態)の実施模式図である。
【図６】本考案の第二実施例(実施形態)においてクリーニング部を交換する様子の模式図である。
【考案を実施するための形態】
【００１４】
以下に図面を参照しながら本考案を実施するための最良の実施例について詳細に説明する。
【実施例】
【００１５】
第一実施例(実施形態)は、図１、２に示すように、本考案の第一実施例によるソーラー電動デンタルクリーナーは、グリップ部１、クリーニング部２、駆動装置３、導動体４、ソーラー発電装置５を備える。
【００１６】
該グリップ部１内には、収容空間１０を形成し、該グリップ部１上には、スイッチ１１を設置する。
【００１７】
該クリーニング部２は、該グリップ部１の一端に取り付けられる。
【００１８】
該駆動装置３には、バッテリー６を連接し、該駆動装置３及び該バッテリー６は、該グリップ部１の収容空間１０内に設置される。
【００１９】
該導動体４は、該収容空間１０中に設置され、該駆動装置３と電気的に連接する第一導線４０を連接する。
【００２０】
該ソーラー発電装置５は、該グリップ部１表面に設置され、しかも電気コード５０を通して、該バッテリー６と電気的に連接される。
【００２１】
図１及び図２では、該クリーニング部２を、歯ブラシのブラシヘッド２０を例とする。
【００２２】
該グリップ部１上に設置されるスイッチ１１により、該駆動装置３は、該第一導線４０の導動体４へと連通し、歯ブラシのブラシヘッド２０は同時に震動と回転を生じ、人体の口腔内部をクリーニングすることができる。
【００２３】
また、エネルギーの消費を抑えるため、使用者は本考案のソーラー電動デンタルクリーナーを光線が十分な場所に置き、これにより該グリップ部１上のソーラー発電装置５は光線の照射を受けた後、光エネルギーを電気エネルギーに転換し、該バッテリー６内に蓄えるため、適時バッテリー６に充電できる。
【００２４】
これにより、バッテリー６は十分な電力量を駆動装置３に給電し震動と回転の作業を行わせることができるため、明らかにエネルギーの消耗を低下させられ、省エネ及び二酸化炭素削減の効果を兼ね備える。
【００２５】
さらに、本考案の電動デンタルクリーナーは、該バッテリー６底部には、給電ポート６０を設置する。
【００２６】
該給電ポート６０は、該グリップ部１に対応し底端に、給電孔１２を設置する。
【００２７】
よって、該ソーラー発電装置５が発電する電力が不足すると、該給電孔１２より、該バッテリー６と外部電源とを連接して充電する。
【００２８】
図３に示すように、本考案によるクリーニング部２は取り外し式であるため、該クリーニング部２を、歯間ブラシヘッド２１に交換し、歯間のクリーニングを強化できる。
【００２９】
さらに、該クリーニング部２が長期使用により損耗した際には、該クリーニング部２を迅速に取り外し、交換することができる。
【００３０】
本考案の第二実施例(実施形態)は、図４、５に示すように、第一実施例(実施形態)とおおよそ相同であるが、主な差異は、ソーラー電動デンタルクリーナーのグリップ部１内に、蓄水装置７を取り付ける点である。
【００３１】
該蓄水装置７は、該収容空間１０内に設置され、該駆動装置３と電気的に連接する第二導線７０を連接する。
【００３２】
よって、該グリップ部１上に設置されるスイッチ１１を起動することで、該バッテリー６の電力を、該駆動装置３に給電する。
【００３３】
次に、該第二導線７０により該蓄水装置７内の液体を駆動し、該歯洗浄ジェットノズル２２より噴出させるため、歯間中の汚れ及び細菌をクリーニングすることができ、口腔の衛生及び健康を強化する。
【００３４】
図６に示すように、本考案の収容空間１０内には、同時に導動体４及び蓄水装置７を設置する。
【００３５】
これにより、該クリーニング部２を、ブラシ洗浄ジェットノズル２３に交換後、使用者の口腔衛生に使用する際には、震動、回転及び噴水の効果を同時に執行できるため、歯間のクリーニングを強化できる。
【００３６】
さらに、該クリーニング部２は、使用者に応じて、多種の形態のブラシヘッドに交換することができる。
【００３７】
長期間の使用により損耗した場合には、該クリーニング部２を迅速に取り外し、交換することができる。
【００３８】
上記の本考案名称と内容は、本考案技術内容の説明に用いたのみで、本考案を限定するものではない。本考案の精神に基づく等価応用或いはいは部品（構造）の転換、置換、数量の増減はすべて、本考案の保護範囲に含むものとする。
【産業上の利用可能性】
【００３９】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００４０】
１  グリップ部
１０  収容空間
１１  スイッチ
１２  給電孔
２  クリーニング部
２０  歯ブラシのブラシヘッド
２１  歯間ブラシヘッド
２２  歯洗浄ジェットノズル
２３  ブラシ洗浄ジェットノズル
３  駆動装置
４  導動体
４０  第一導線
５  ソーラー発電装置
５０  電気コード
６  バッテリー
６０  給電ポート
７  蓄水装置
７０  第二導線
９  電源充電装置
【図１】
0003204334.tif 000003
【図２】
0003204334.tif 000004
【図３】
0003204334.tif 000005
【図４】
0003204334.tif 000006
【図５】
0003204334.tif 000007
【図６】
0003204334.tif 000008